(57)【要約】【課題】簡単な構成により、ペットに繋がれた紐がエレベーターの戸に挟まれた状態のまま、かごが走行を開始してしまうことを確実に防止することができるエレベーターのかご装置を提供する。【解決手段】片開き方式のかご戸５によってかご出入口を開閉するエレベーターのかご装置において、かご戸５に設けられたセフティシュー９と、セフティシュー９に設けられ、このセフティシュー９とにより、平面視かご戸当り部１０側に開口する凹状の空隙１５を形成する動作片１４と、かご戸当り部１０に設けられ、平面視動作片１４側に開口する凹状の空隙１７を形成する動作片１６とを備える。そして、戸全閉時、動作片１４のかご戸当り部１０側に突出する一側部１４ａが空隙１７内に、動作片１６の動作片１４側に突出する一側部１６ａが空隙１５内に配置されるように構成する。【選択図】図２
2010247951.tif 000002
【特許請求の範囲】
【請求項１】
片開き方式のかご戸によってかご出入口を開閉するエレベーターのかご装置であって、
前記かご戸に設けられたセフティシューと、
前記セフティシューに設けられ、前記セフティシューとにより、平面視かご戸当り部側に開口する凹状の第１空隙を形成する第１動作片と、
前記かご戸当り部に設けられ、平面視前記第１動作片側に開口する凹状の第２空隙を形成する第２動作片と、
を備え、
戸全閉時、前記第１動作片のうち、前記かご戸当り部側に突出して前記第１空隙を形成する一側部が、前記第２空隙内に配置され、前記第２動作片のうち、前記第１動作片側に突出して前記第２空隙を形成する一側部が、前記第１空隙内に配置されることを特徴とするエレベーターのかご装置。
【請求項２】
両開き方式のかご戸によってかご出入口を開閉するエレベーターのかご装置であって、
互いに逆方向に戸開閉動作する一方の前記かご戸に設けられたセフティシューと、
前記セフティシューに設けられ、前記セフティシューとにより、平面視他方の前記かご戸側に開口する凹状の第１空隙を形成する第１動作片と、
前記他方のかご戸に設けられ、平面視前記第１動作片側に開口する凹状の第２空隙を形成する第２動作片と、
を備え、
戸全閉時、前記第１動作片のうち、前記他方のかご戸側に突出して前記第１空隙を形成する一側部が、前記第２空隙内に配置され、前記第２動作片のうち、前記第１動作片側に突出して前記第２空隙を形成する一側部が、前記第１空隙内に配置されることを特徴とするエレベーターのかご装置。
【請求項３】
前記他方のかご戸に設けられ、戸全閉時、前記一方のかご戸に設けられたセフティシューを動作させない引退位置に移動する第２セフティシューと、
を備え、
前記第２動作片は、前記他方のかご戸と前記第２セフティシューとの間に配置されたことを特徴とする請求項２に記載のエレベーターのかご装置。
【請求項４】
前記第１動作片は、平面視Ｌ字状に折り曲げられた板状部材からなり、
前記第２動作片は、平面視コ字状に折り曲げられた板状部材からなる
ことを特徴とする請求項１から請求項３の何れかに記載のエレベーターのかご装置。
【請求項５】
片開き方式のかご戸によってかご出入口を開閉するエレベーターのかご装置であって、
前記かご戸に設けられたセフティシューと、
前記セフティシューに設けられ、平面視かご戸当り部側に開口する凹状の第１空隙を形成する第１動作片と、
前記かご戸当り部に設けられ、平面視前記第１動作片側に開口する凹状の第２空隙を形成する第２動作片と、
を備え、
戸全閉時、前記第１動作片のうち、前記かご戸当り部側に突出して前記第１空隙を形成する一側部が、前記第２空隙内に配置され、前記第２動作片のうち、前記第１動作片側に突出して前記第２空隙を形成する一側部が、前記第１空隙内に配置されることを特徴とするエレベーターのかご装置。
【請求項６】
両開き方式のかご戸によってかご出入口を開閉するエレベーターのかご装置であって、
互いに逆方向に戸開閉動作する一方の前記かご戸に設けられたセフティシューと、
前記セフティシューに設けられ、平面視他方の前記かご戸側に開口する凹状の第１空隙を形成する第１動作片と、
前記他方のかご戸に設けられ、平面視前記第１動作片側に開口する凹状の第２空隙を形成する第２動作片と、
を備え、
戸全閉時、前記第１動作片のうち、前記他方のかご戸側に突出して前記第１空隙を形成する一側部が、前記第２空隙内に配置され、前記第２動作片のうち、前記第１動作片側に突出して前記第２空隙を形成する一側部が、前記第１空隙内に配置されることを特徴とするエレベーターのかご装置。
【請求項７】
前記他方のかご戸に設けられ、戸全閉時、前記一方のかご戸に設けられたセフティシューを動作させない引退位置に移動する第２セフティシューと、
を備え、
前記第２動作片は、前記他方のかご戸と前記第２セフティシューとの間に配置されたことを特徴とする請求項６に記載のエレベーターのかご装置。
【請求項８】
前記第１動作片及び前記第２動作片は、それぞれ、平面視コ字状に折り曲げられた板状部材からなることを特徴とする請求項５から請求項７の何れかに記載のエレベーターのかご装置。
【請求項９】
前記第１動作片は、上下方向に渡って、前記セフティシューよりも前記第２動作片側に突出しないように配置されたことを特徴とする請求項１から請求項８の何れかに記載のエレベーターのかご装置。
【請求項１０】
前記セフティシューは、設置されている前記かご戸に対して、戸開方向に所定距離移動されることによって異物の存在を検出し、
前記第１動作片の前記一側部と前記第２動作片の前記一側部とは、戸全閉時、戸開閉方向に前記所定距離以上の幅に渡って対向し合う
ことを特徴とする請求項１から請求項９の何れかに記載のエレベーターのかご装置。
【発明の詳細な説明】
【技術分野】
【０００１】
この発明は、ペットに繋がれた紐等がエレベーターの戸に挟まれた状態のまま、かごが走行を開始してしまうことを防止するエレベーターのかご装置に関するものである。
【背景技術】
【０００２】
最近では、集合住宅や複合商業施設等において、飼主がペットと共にエレベーターを利用することが多くなっている。
【０００３】
飼主がペットと共にエレベーターを利用する場合、エレベーターの戸が閉まる直前にペットのみがかごに飛び乗ったり、或いはかごから飛び降りたりしてしまうことがある。このようなペットの不意の動作によりペットとその飼主がかごと乗場に分かれ、その状態のままエレベーターの戸が閉まってしまうと、ペットの首輪に繋がれた紐が戸に挟まった状態でエレベーターの走行が開始されてしまう恐れがあった。
【０００４】
なお、エレベーターには、一般に、かご戸にセフティシューが設けられており、異物の挟まれや衝突を検出できるように構成されている。しかし、このセフティシューは、かご戸に対して戸開方向に移動して初めて異物を検出できる構成を有しているため、小型犬に繋がれた細い紐ややわらかい紐がエレベーターの戸に挟まれた場合は、その存在を検出できないことがあった。
【０００５】
このような事情に鑑み、例えば、従来技術として、エレベーターのかご戸当り部に、セフティシューの断面形状に近似する湾曲凹部を形成し、戸全閉時に、セフティシューの先端部をこの湾曲凹部内に嵌合させるようにしたエレベーターのかご装置も提案されている（例えば、特許文献１参照）。
【先行技術文献】
【特許文献】
【０００６】
【特許文献１】実開平５−９５９６９号公報
【発明の概要】
【発明が解決しようとする課題】
【０００７】
特許文献１に記載のものでは、かご戸当り部に形成された湾曲凹部とセフティシューの先端部との間に形成された隙間によって、ペットに繋がれた紐を挟むようにしているため、上記隙間をペットの紐の太さよりも小さくしておく必要があり、その製作に高い精度が要求されるといった問題があった。
特に、最近では、ペットに繋ぐ紐として、長さを自在に調節できる伸縮式のものが多く見られる。かかる紐は、従来のものと比較して径が著しく小さかったり、或いは帯状を呈していたりするため、特許文献１に記載のものによってその存在を検出しようとすると、上記湾曲凹部とセフティシューの先端部との隙間を極端に狭くしなければならなかった。
【０００８】
この発明は、上述のような課題を解決するためになされたもので、その目的は、簡単な構成により、ペットに繋がれた紐がエレベーターの戸に挟まれた状態のまま、かごが走行を開始してしまうことを確実に防止することができるエレベーターのかご装置を提供することである。
【課題を解決するための手段】
【０００９】
この発明に係るエレベーターのかご装置は、片開き方式のかご戸によってかご出入口を開閉するエレベーターのかご装置であって、かご戸に設けられたセフティシューと、セフティシューに設けられ、セフティシューとにより、平面視かご戸当り部側に開口する凹状の第１空隙を形成する第１動作片と、かご戸当り部に設けられ、平面視第１動作片側に開口する凹状の第２空隙を形成する第２動作片と、を備え、戸全閉時、第１動作片のうち、かご戸当り部側に突出して第１空隙を形成する一側部が、第２空隙内に配置され、第２動作片のうち、第１動作片側に突出して第２空隙を形成する一側部が、第１空隙内に配置されるものである。
【００１０】
また、この発明に係るエレベーターのかご装置は、両開き方式のかご戸によってかご出入口を開閉するエレベーターのかご装置であって、互いに逆方向に戸開閉動作する一方のかご戸に設けられたセフティシューと、セフティシューに設けられ、セフティシューとにより、平面視他方のかご戸側に開口する凹状の第１空隙を形成する第１動作片と、他方のかご戸に設けられ、平面視第１動作片側に開口する凹状の第２空隙を形成する第２動作片と、を備え、戸全閉時、第１動作片のうち、他方のかご戸側に突出して第１空隙を形成する一側部が、第２空隙内に配置され、第２動作片のうち、第１動作片側に突出して第２空隙を形成する一側部が、第１空隙内に配置されるものである。
【００１１】
また、この発明に係るエレベーターのかご装置は、片開き方式のかご戸によってかご出入口を開閉するエレベーターのかご装置であって、かご戸に設けられたセフティシューと、セフティシューに設けられ、平面視かご戸当り部側に開口する凹状の第１空隙を形成する第１動作片と、かご戸当り部に設けられ、平面視第１動作片側に開口する凹状の第２空隙を形成する第２動作片と、を備え、戸全閉時、第１動作片のうち、かご戸当り部側に突出して第１空隙を形成する一側部が、第２空隙内に配置され、第２動作片のうち、第１動作片側に突出して第２空隙を形成する一側部が、第１空隙内に配置されるものである。
【００１２】
また、この発明に係るエレベーターのかご装置は、両開き方式のかご戸によってかご出入口を開閉するエレベーターのかご装置であって、互いに逆方向に戸開閉動作する一方のかご戸に設けられたセフティシューと、セフティシューに設けられ、平面視他方のかご戸側に開口する凹状の第１空隙を形成する第１動作片と、他方のかご戸に設けられ、平面視第１動作片側に開口する凹状の第２空隙を形成する第２動作片と、を備え、戸全閉時、第１動作片のうち、他方のかご戸側に突出して第１空隙を形成する一側部が、第２空隙内に配置され、第２動作片のうち、第１動作片側に突出して第２空隙を形成する一側部が、第１空隙内に配置されるものである。
【発明の効果】
【００１３】
この発明によれば、簡単な構成により、ペットに繋がれた紐がエレベーターの戸に挟まれた状態のまま、かごが走行を開始してしまうことを確実に防止することができるようになる。
【図面の簡単な説明】
【００１４】
【図１】この発明の実施の形態１におけるエレベーターのかご装置が乗場に停止した時の状態を示す平面図である。
【図２】図１に示すエレベーターのかご装置のＡ部拡大図である。
【図３】この発明の実施の形態１におけるかご戸組立を示す正面図である。
【図４】この発明の実施の形態１におけるセフティシューの要部を示す斜視図である。
【図５】この発明の実施の形態１におけるかご戸当たり部の構成を示す斜視図である。
【図６】この発明の実施の形態１におけるエレベーターのかご装置の動作を説明するための図である。
【図７】この発明の実施の形態２におけるエレベーターのかご装置が乗場に停止した時の状態を示す平面図である。
【図８】この発明の実施の形態２におけるエレベーターのかご装置の機能を説明するための図である。
【図９】この発明の実施の形態３におけるエレベーターのかご装置が乗場に停止した時の状態を示す平面図である。
【図１０】図９に示すかご装置の戸全閉時における状態を示す要部平面図である。
【図１１】この発明の実施の形態３におけるエレベーターのかご装置の動作を説明するための図である。
【発明を実施するための形態】
【００１５】
この発明をより詳細に説明するため、添付の図面に従ってこれを説明する。なお、各図中、同一又は相当する部分には同一の符号を付しており、その重複説明は適宜に簡略化ないし省略する。
【００１６】
実施の形態１．
図１はこの発明の実施の形態１におけるエレベーターのかご装置が乗場に停止した時の状態を示す平面図、図１に示すエレベーターのかご装置のＡ部拡大図、図３はこの発明の実施の形態１におけるかご戸組立を示す正面図、図４はこの発明の実施の形態１におけるセフティシューの要部を示す斜視図、図５はこの発明の実施の形態１におけるかご戸当たり部の構成を示す斜視図である。
【００１７】
図１乃至図５において、１はエレベーターの乗場、２は乗場１に立設された乗場三方枠の縦柱、３は乗場三方枠及び乗場１の床面によって形成された乗場出入口を開閉する乗場戸である。乗場戸３は、低速の戸３ａと高速の戸３ｂとにより構成される。４はエレベーター昇降路内を昇降するかご、５はかご４の出入口（かご出入口）を開閉するかご戸である。かご戸５は、上記乗場戸３と同様に、低速の戸５ａと高速の戸５ｂとにより構成される。即ち、本実施の形態は、片開き方式の２枚の引き戸によって出入口を開閉するエレベーターについて示している。
【００１８】
また、６はかご戸５の各上部に設けられたドアハンガー、７はドアハンガー６に回動自在に設けられたローラ、８はかご出入口の上方に水平に設けられたレールである。上記かご戸５は、上記ローラ７がレール８上を転動することにより、その開閉動作が案内される。なお、かご戸５を開閉駆動するための戸駆動装置（図示せず）は、かご４の上部等に設置されている。
【００１９】
９はかご戸５に設けられたセフティシューである。このセフティシュー９は、エレベーターの戸（乗場戸３、かご戸５）による異物の挟まれや衝突を検出するために備えられたものである。具体的に、セフティシュー９は、かご戸当り部１０に最も近接するかご戸５（本実施の形態においては高速の戸５ｂ）に、戸開閉方向に進退自在に設けられており、そのかご戸５の上下所定の範囲に渡って配置されている。また、セフティシュー９は、その一部が、かご戸５の戸当り側端面５ｃからかご戸当り部１０側に突出するように設けられており、戸閉動作時に、設置されているかご戸５に対して、戸閉方向に所定距離移動されることにより、異物の存在を検出する。
【００２０】
図３に示す具体例では、上記セフティシュー９は、シュー部１１、リンク１２、検出スイッチ１３によって、その要部が構成されている。
シュー部１１は、高速の戸５ｂの裏面側の側部に、高速の戸５ｂの上下に渡って配置されている。また、シュー部１１は、リンク１２によって高速の戸５ｂの裏面に連結され、その一部が、高速の戸５ｂの戸当り側端面５ｃからかご戸当り部１０側に突出するように配置されている。即ち、シュー部１１は、高速の戸５ｂに対して戸閉方向に付勢されると、リンク１２が図３に示すＢ方向に回転することにより、高速の戸５ｂに対して戸閉方向に変位する。そして、戸閉動作時に、シュー部１１が高速の戸５ｂに対して戸閉方向に所定距離（Ｌ１）変位する（リンク１２の角度が所定値に達する）と、検出スイッチ１３によってその変位が検出され、例えば、戸反転動作等の所定の動作が行われる。
【００２１】
また、セフティシュー９のシュー部１１には、高速の戸５ｂ側を向く側面とは反対側の一側面１１ａに、その上下に渡って動作片１４が設けられている。この動作片１４は、シュー部１１とにより、平面視かご戸当り部１０側に開口する凹状の空隙１５を形成する。具体的に、動作片１４は、板状部材を平面視略Ｌ字状に折り曲げて形成したもの等から構成される。そして、動作片１４は、Ｌ字の一辺側の端部がシュー部１１の一側面１１ａに固定されることにより、上記Ｌ字の他辺側が、シュー部１１の側方においてシュー部１１に並んで配置される。なお、動作片１４の上記Ｌ字の他辺側からなる一側部１４ａは、エレベーターの出入口を通過する乗客との接触を防止するため、その上下方向に渡り、シュー部１１よりもかご戸当り部１０側に突出しないように配置されている。
【００２２】
また、高速の戸５ｂの戸当り側端面５ｃに対向するかご戸当り部１０には、上下の所定の範囲に渡って動作片１６が設けられている。この動作片１６は、平面視動作片１４側に開口する凹状の空隙１７を形成し、例えば、板状部材を平面視略コ字状に折り曲げて形成したもの等から構成される。即ち、シュー部１１及び動作片１４によって形成された空隙１５と動作片１６によって形成された空隙１７とは、双方ともかご出入口側に開口し、シュー部１１とほぼ同じ高さに渡って互いに対向するように配置されている。
なお、かご戸当り部１０には、戸全閉時、かご戸５が実際に接触しなくても良い。
【００２３】
上記構成を有するエレベーターのかご装置では、戸全閉時、動作片１４のうち、かご戸当り部１０側に突出する上記一側部１４ａが、その上下に渡って空隙１７内に配置される。また、動作片１６のうち、動作片１４側に突出する一側部１６ａが、その上下に渡って空隙１５内に配置される。なお、図２は上記戸全閉時の状態を示したものである。即ち、動作片１４及び１６は、戸全閉時に図２に示すような噛み合い状態となるように、セフティシュー９とかご戸当り部１０とに設けられている。
【００２４】
なお、図２に示すＬ２は、戸全閉時に、動作片１４の一側部１４ａと動作片１６の一側部１６ａとが、戸開閉方向に対向し合う距離（幅）を示している。動作片１４及び１６は、上記距離Ｌ２が、セフティシュー９の動作距離（検出スイッチ１３がシュー部１１の変位を検出する時のシュー部１１の移動距離：上記距離Ｌ１）以上となるように設定されている。
【００２５】
次に、図６も参照して、上記構成のかご装置を備えたエレベーターの動作について説明する。なお、図６はこの発明の実施の形態１におけるエレベーターのかご装置の動作を説明するための図である。
【００２６】
上記エレベーターの戸が閉まる直前に、何らかの原因によってペットとその飼主とが乗場１とかご４に分かれてしまうと、ペットの首輪等に繋がれた紐１８が、セフティシュー９（及び、動作片１４）に接触して付勢され、かご戸当り部１０側に移動される。そして、かご戸５がかご戸当り部１０に近接する所定位置に到達すると、上記紐１８が、動作片１６にも接触する。即ち、紐１８は、かご戸５側から、セフティシュー９のシュー部１１、動作片１６の一側部１６ａ、動作片１４の一側部１４ａ、動作片１６の他側部１６ｂに接触し、かご戸当り部１０側及びかご戸袋側に交互に付勢される。このため、上記シュー部１１は、戸閉動作がそのまま継続されることにより、紐１８から図６に示すＣ方向に力を受けて、かご戸５に対する戸閉方向に移動する。そして、シュー部１１の移動量が上記所定距離Ｌ１に達すると、検出スイッチ１３によってその変位が検出され、戸反転動作が行われる。
なお、上記他側部１６ｂは、一側部１６ａに対向して配置された部分のことである。この他側部１６ｂは、動作片１４側に突出し、一側部１６ａと共に空隙１７を形成する。
【００２７】
この発明の実施の形態１によれば、ペットに繋がれた紐１８がエレベーターの戸に挟まれた状態のまま、かご４が走行を開始してしまうことを確実に防止することができる。また、簡単な構成の動作片１４及び１６をセフティシュー９とかご戸当り部１０とに備えることによって上記機能を実現することができ、既設のエレベーターを含め、種々のエレベーターに対し、適用することが可能となる。
【００２８】
実施の形態２．
図７はこの発明の実施の形態２におけるエレベーターのかご装置が乗場に停止した時の状態を示す平面図、図８はこの発明の実施の形態２におけるエレベーターのかご装置の機能を説明するための図である。
図７及び図８において、本実施の形態におけるかご装置では、セフティシュー９のシュー部１１に、その上下に渡って動作片１９が設けられている。この動作片１９は、その要部により、平面視かご戸当り部１０側に開口する凹状の空隙２０を形成する。具体的に、動作片１９は、その要部が板状部材を平面視略コ字状に折り曲げて形成したもの等から構成される。
【００２９】
上記構成を有するエレベーターのかご装置では、戸全閉時、動作片１９のうち、かご戸当り部１０側に突出する一方の側部（一側部）１９ａが、その上下に渡って空隙１７内に配置され、他方の側部（他側部）１９ｂが、動作片１６の一側部１６ａのセフティシュー９側に配置される。また、動作片１６のうち、動作片１９側に突出する一側部１６ａが、その上下に渡って空隙２０内に配置される。即ち、動作片１９及び１６は、戸全閉時に平面視噛み合い状態となるように、セフティシュー９とかご戸当り部１０とに設けられている。
【００３０】
なお、動作片１９の一側部１９ａ及び他側部１９ｂは、エレベーターの出入口を通過する乗客との接触を防止するため、その上下方向に渡り、シュー部１１よりもかご戸当り部１０側に突出しないように配置されている。
【００３１】
そして、エレベーターの戸が閉まる直前に、何らかの原因によってペットとその飼主とが乗場１とかご４に分かれてしまうと、ペットの首輪等に繋がれた紐１８が、セフティシュー９（及び、動作片１９）に接触して付勢され、かご戸当り部１０側に移動される。そして、かご戸５がかご戸当り部１０に近接する所定位置に到達すると、上記紐１８が、動作片１６にも接触する。即ち、紐１８は、かご戸５側から、セフティシュー９のシュー部１１、動作片１９の他側部１９ｂ、動作片１６の一側部１６ａ、動作片１９の一側部１９ａ、動作片１６の他側部１６ｂに接触し、上記動作片１９及び１６によって、かご戸当り部１０側及びかご戸袋側に交互に付勢される。このため、上記シュー部１１は、戸閉動作がそのまま継続されることにより、紐１８から図８に示すＤ方向に力を受けて、かご戸５に対する戸閉方向に移動する。そして、シュー部１１の移動量が上記所定距離Ｌ１に達すると、検出スイッチ１３によってその変位が検出され、戸反転動作が行われる。
【００３２】
その他は、実施の形態１と同様の構成及び機能を有している。そして、かかる構成により、実施の形態１と同様の効果を奏することができる。
【００３３】
実施の形態３．
図９はこの発明の実施の形態３におけるエレベーターのかご装置が乗場に停止した時の状態を示す平面図、図１０は図９に示すかご装置の戸全閉時における状態を示す要部平面図である。
【００３４】
図９及び図１０において、エレベーターのかご４には、互いに逆方向に移動してかご出入口を開閉するかご戸５ｄ及び５ｅが備えられている。即ち、本実施の形態は、両開き方式の引き戸によって出入口を開閉するエレベーターについて示している。なお、上記かご戸５ｄ及び５ｅは、戸全閉時、互いに間口方向に隣接するものを示している。また、エレベーターの乗場１には、互いに逆方向に移動して乗場出入口を開閉する乗場戸３ｃ及び３ｄが備えられている。
【００３５】
上記構成を有するかご装置には、一方のかご戸５ｄにセフティシュー２１が、他方のかご戸５ｅにセフティシュー２２が設けられている。各セフティシュー２１及び２２の構成及び機能は、実施の形態１及び２におけるセフティシュー９の構成及び機能と同様である。なお、戸全閉時の誤検出を防止するための機能として、かご戸５ｅに設けられたセフティシュー２２は、戸全閉時にかご戸５ｅに対して戸開方向（図１０に示すＥ方向）に移動し、各セフティシュー２１及び２２が動作しない引退位置に配置される。
【００３６】
また、セフティシュー２１のシュー部２３には、かご戸５ｄの裏面に対向する一側面２３ａに、その上下に渡って動作片２４が設けられている。この動作片２４は、実施の形態１における動作片１４と同様の機能を有するものであり、シュー部２３とにより、平面視かご戸５ｅ側に開口する凹状の空隙２５を形成する。なお、動作片２４のうち、かご戸５ｅ側に突出して空隙２５を形成する一側部２４ａは、乗客との接触を防止するため、その上下方向に渡り、シュー部２３よりもかご戸５ｅ側に突出しないように配置されている。
【００３７】
また、かご戸５ｅには、戸全閉時にかご戸５ｄに隣接する側部の裏面側に、上下の所定の範囲に渡って動作片２６が設けられている。この動作片２６は、実施の形態１及び２における動作片１６と同様の機能を有するものであり、平面視動作片２４側に開口する凹状の空隙２７を形成し、かご戸５ｅとセフティシュー２２との間に配置されている。即ち、セフティシュー２１のシュー部２３及び動作片２４によって形成された空隙２５と動作片２６によって形成された空隙２７とは、互いに対向するように、かご出入口側に開口する。
【００３８】
上記構成を有するエレベーターのかご装置では、戸全閉時、動作片２４の上記一側部２４ａが、その上下に渡って空隙２７内に配置される。また、動作片２６のうち、動作片２４側に突出する一側部２６ａがその上下に渡って空隙２５内に配置され、上記一側部２６ａに対向して配置された他側部２６ｂが、動作片２４の一側部２４ａとかご戸５ｅの裏面との間に配置される。即ち、動作片２４及び２６は、戸全閉時に図１０に示すような噛み合い状態となるように、セフティシュー２１とかご戸５ｅとに設けられている。
【００３９】
次に、図１１も参照して、上記構成のかご装置を備えたエレベーターの動作について説明する。なお、図１１はこの発明の実施の形態３におけるエレベーターのかご装置の動作を説明するための図である。
【００４０】
エレベーターの戸が閉まる直前に、何らかの理由によってペットとその飼主とが乗場１とかご４との分かれてしまうと、ペットの首輪等に繋がれた紐１８がセフティシュー２１或いは２２に接触して付勢され、反対のかご戸５ｅ或いは５ｄ側に移動される。そして、かご戸５ｄ及び５ｅが近接する所定位置に到達すると、セフティシュー２２が引退位置に移動し始め、その後、上記紐１８が動作片２６に接触する。即ち、紐１８は、かご戸５側から、動作片２６の他側部２６ｂ、動作片２４の一側部２４ａ、動作片２６の一側部２６ａ、セフティシュー２１のシュー部２３に接触し、かご戸５ｄ側及び５ｅ側に交互に付勢される。このため、上記シュー部２３は、戸閉動作がそのまま継続されることにより、紐１８から図１１に示すＦ方向に力を受けて、かご戸５ｄに対する戸閉方向に移動する。そして、シュー部２３の移動量が、セフティシュー２１を動作させるための所定距離に達すると、セフティシュー２１の検出スイッチ（図示せず）によってその変位が検出され、戸反転動作が行われる。
その他は、実施の形態１と同様の構成及び機能を有する。
【００４１】
上記構成によれば、両開き方式の引き戸がエレベーターのかご４に備えられている場合でも、実施の形態１と同様の効果を奏することができる。
なお、本実施の形態においては、双方のかご戸５ｄ及び５ｅにセフティシュー２１及び２２が備えられている場合について説明したが、セフティシュー２２は必ずしも必要になる訳ではない。また、セフティシュー２１に設けられた動作片は、実施の形態２における動作片１９と同様の構成を有していても良い。かかる場合であっても、上記と同様の効果を奏することが可能である。
【符号の説明】
【００４２】
１  乗場
２  縦柱
３、３ｃ、３ｄ  乗場戸
３ａ、５ａ  低速の戸
３ｂ、５ｂ  高速の戸
４  かご
５、５ｄ、５ｅ  かご戸
５ｃ  戸当り側端面
６  ドアハンガー
７  ローラ
８  レール
９、２１、２２  セフティシュー
１０  かご戸当り部
１１、２３  シュー部
１１ａ、２３ａ  一側面
１２  リンク
１３  検出スイッチ
１４、１６、１９、２４、２６  動作片
１４ａ、１６ａ、１９ａ、２４ａ、２６ａ  一側部
１５、１７、２０、２５、２７  空隙
１６ｂ、１９ｂ、２６ｂ  他側部
１８  紐
【図１】
2010247951.tif 000003
【図２】
2010247951.tif 000004
【図３】
2010247951.tif 000005
【図４】
2010247951.tif 000006
【図５】
2010247951.tif 000007
【図６】
2010247951.tif 000008
【図７】
2010247951.tif 000009
【図８】
2010247951.tif 000010
【図９】
2010247951.tif 000011
【図１０】
2010247951.tif 000012
【図１１】
2010247951.tif 000013